(57)【要約】      （修正有）【課題】商品陳列バーの長さが異なる複数種類の商品陳列フックに対応することが可能な商品陳列フック用表示物保持具を提供する。【解決手段】商品陳列フック２に取り付けて用いられる商品陳列フック用表示物保持具１であって、商品陳列フック２に対して着脱可能な係合部１０と、商品陳列バー４と同方向に延びるよう、基端部が係合部１０に固定されたアーム部２０と、アーム部２０に対して着脱可能に構成され、商品情報が掲載された表示物を保持可能な保持部３０とを備え、アーム部２０は、少なくとも１つの肉薄部２２ａ，２２ｂを有し、該肉薄部２２ａ，２２ｂを破断することによって長手方向の長さを変更することが可能に構成されており、アーム部２０の先端部及びアーム部２０の各肉薄部２２ａ，２２ｂの基端側近傍に、それぞれ、保持部３０を取付可能な取付部２４ｂ、２４ｃが形成されている。【選択図】図１
0003202712.tif 000002
【実用新案登録請求の範囲】
【請求項１】
商品を吊り下げて陳列することが可能な商品陳列バーを有する商品陳列フックに取り付けて用いられる商品陳列フック用表示物保持具であって、
前記商品陳列フックに対して着脱可能な係合部と、
前記商品陳列バーと同方向に延びるよう、基端部が前記係合部に固定されたアーム部と、
前記アーム部に対して着脱可能に構成され、商品情報が掲載された表示物を保持可能な保持部と
を備え、
前記アーム部は、少なくとも１つの肉薄部を有し、該肉薄部を破断することによって長手方向の長さを変更することが可能に構成されており、
前記アーム部の先端部及び前記アーム部の各肉薄部の基端側近傍に、それぞれ、前記保持部を取付可能な取付部が形成されている
ことを特徴とする商品陳列フック用表示物保持具。
【請求項２】
前記保持部は、前記アーム部の長手方向と直交かつ上下方向に延びる軸を中心として回動可能な状態で前記取付部に取り付けられる
ことを特徴とする請求項１に記載の商品陳列フック用表示物保持具。
【請求項３】
前記保持部は、回動範囲を規制するストッパを有する
ことを特徴とする請求項２に記載の商品陳列フック用表示物保持具。
【請求項４】
前記係合部は、前記商品陳列バーを狭持可能な一対の狭持片を有する
ことを特徴とする請求項１乃至３いずれか１項に記載の商品陳列フック用表示物保持具。
【考案の詳細な説明】
【技術分野】
【０００１】
本考案は、商品情報等の各種情報を表示する表示物を商品陳列フックに陳列された商品の近傍に掲示するための商品陳列フック用表示物保持具に関する。
【背景技術】
【０００２】
従来、スーパー等の売り場においては、複数の商品を吊り下げて陳列することが可能な１本の金属棒（商品陳列バー）を有する商品陳列フックが広く用いられている（特許文献１）。また、従来、商品の名称や価格等の商品情報が表示された表示物を商品陳列フックに取り付けるために、商品陳列フック用表示物保持具が広く用いられている（特許文献２）。従来の商品陳列フック用表示物保持具は、商品陳列バーと略平行に延びるアーム部と、アーム部の基端部に固定され、商品陳列フックに着脱可能に構成された係合部と、アーム部の先端部に固定され、商品の商品情報が掲載された表示物を保持可能に構成された表示部とを備えている。
【先行技術文献】
【特許文献】
【０００３】
【特許文献１】実開昭６１−２１３５８号公報
【特許文献２】実用新案登録第３１０２６８９号公報
【考案の概要】
【考案が解決しようとする課題】
【０００４】
しかしながら、従来の商品陳列フック用表示物保持具は、アーム部の長さが一定であるため、商品陳列バーの長さが異なる複数種類の商品陳列フックに対応することができないという問題がある。
【０００５】
そこで、本考案は、商品陳列バーの長さが異なる複数種類の商品陳列フックに対応することが可能な商品陳列フック用表示物保持具を提供することを目的とする。
【課題を解決するための手段】
【０００６】
以上の目的を達成するため、本考案に係る商品陳列フック用表示物保持具は、商品を吊り下げて陳列することが可能な商品陳列バーを有する商品陳列フックに取り付けて用いられる商品陳列フック用表示物保持具であって、前記商品陳列フックに対して着脱可能な係合部と、前記商品陳列バーと同方向に延びるよう、基端部が前記係合部に固定されたアーム部と、前記アーム部に対して着脱可能に構成され、商品情報が掲載された表示物を保持可能な保持部とを備え、前記アーム部は、少なくとも１つの肉薄部を有し、該肉薄部を破断することによって長手方向の長さを変更することが可能に構成されており、前記アーム部の先端部及び前記アーム部の各肉薄部の基端側近傍に、それぞれ、前記保持部を取付可能な取付部が形成されていることを特徴とする。
【０００７】
このような商品陳列フック用表示物保持具によれば、商品陳列バーの長さに応じてアーム部の肉薄部を破断すると共に、保持部を取り付ける取付部を変更することにより、商品陳列バーの長さが異なる複数種類の商品陳列フックに対応することが可能となる。
【０００８】
本考案に係る商品陳列フック用表示物保持具において、前記保持部は、前記アーム部の長手方向と直交かつ上下方向に延びる軸を中心として回動可能な状態で前記取付部に取り付けられることが好ましい。
【０００９】
この場合において、前記保持部は、回動範囲を規制するストッパを有することが更に好ましい。
【００１０】
また、本考案に係る商品陳列フック用表示物保持具において、前記係合部は、前記商品陳列バーを狭持可能な一対の狭持片を有することが好ましい。
【考案の効果】
【００１１】
以上のように、本考案によれば、商品陳列バーの長さが異なる複数種類の商品陳列フックに対応することが可能な商品陳列フック用表示物保持具を提供することができる。
【図面の簡単な説明】
【００１２】
【図１】本考案の一実施形態に係る商品陳列フック用表示物保持具の概略構成を示す斜視図である。
【図２】本実施形態に係る商品陳列フック用表示物保持具の概略構成を示す平面図である。
【図３】図３（ａ）は、第１の肉薄部を破断させてアーム部の長手方向の長さを変更した状態を示す平面図であり、図３（ｂ）は、第２の肉薄部を破断させてアーム部の長手方向の長さを変更した状態を示す平面図である。
【図４】図４（ａ）は、保持部が正面を向くように取り付けられた状態を示す部分拡大平面図であり、図４（ｂ）は、保持部が平面視で時計回り方向に回動した状態を示す部分拡大平面図であり、図４（ｃ）は、保持部が平面視で反時計回り方向に回動した状態を示す部分拡大平面図である。
【図５】係合部の概略構成を側面方向から見た状態を示す拡大図である。
【図６】係合部の概略構成を背面方向から見た状態を示す拡大図である。
【図７】図１に示す商品陳列フック（シングルフックタイプ）とは異なる種類の商品陳列フック（ネットハンガータイプ）に第１実施形態に係る商品陳列フック用表示物保持具を用いる場合の例を示す斜視図である。
【考案を実施するための形態】
【００１３】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１４】
本考案の一実施形態に係る商品陳列フック用表示物保持具１は、図１に示すように、１本の商品陳列バー４を有する商品陳列フック２（所謂シングルフック）の上方に取り付けて用いられるものである。
【００１５】
商品陳列フック２は、従来の商品陳列フックと同様に、商品を吊り下げて陳列することが可能な商品陳列バー４と、商品陳列バー４の基端部に固着された装着部６とを備えている。商品陳列バー４は、先端部がやや上方に屈曲した金属棒から形成されている。装着部６は、下方に向けて開口する略コ字状に形成されており、商品陳列装置の横方向に懸架された角パイプに装着可能に構成されている。このようなシングルフックタイプの商品陳列フック２は、種々の公知のものを採用可能であるため、その詳細な説明を省略する。
【００１６】
商品陳列フック用表示物保持具１は、図１及び図２に示すように、商品陳列フック２に対して着脱可能な係合部１０と、商品陳列バー４と同方向に延びるよう、基端部２２が係合部１０に固定されたアーム部２０と、アーム部２０に対して着脱可能に構成され、商品情報が掲載された表示物（図示せず）を保持可能な保持部３０とを備えている。本実施形態に係る商品陳列フック用表示物保持具１は、係合部１０及びアーム部２０が一体成形にて形成されると共に、これら係合部１０及びアーム部２０とは別体として形成された保持部３０がアーム部２０の後述する取付部２４ａ〜２４ｃに取り付けられることにより、構成されている。
【００１７】
アーム部２０は、合成樹脂等からなり、図１に示すように、商品陳列バー４と略平行に延びる棒状に形成されている。アーム部２０は、商品陳列バー４の長さが異なる種々の商品陳列フック２のうち、最も商品陳列バー４が長い種類の商品陳列フック２に合わせて製造されており、当該商品陳列フック２の商品陳列バー４と略同じ又は商品陳列バー４よりもやや短い長手方向の長さを有している。アーム部２０は、図２に示すように、長手方向に所定の間隔をおいて複数の肉薄部（本実施形態では第１の肉薄部２２ａ及び第２の肉薄部２２ｂ）を有しており、使用者が第１の肉薄部２２ａ又は第２の肉薄部２２ｂを破断することで、長手方向の長さを変更することが可能に構成されている。第１の肉薄部２２ａは、アーム部２０の長手方向の中央よりも先端部側の領域に形成されており、第２の肉薄部２２ｂは、アーム部２０の長手方向の中央よりも基端部側の領域に形成されている。なお、第１の肉薄部２２ａ及び第２の肉薄部２２ｂの位置は、使用対象となる種々の商品陳列バー４の長さに対応できるよう適宜設定される。
【００１８】
また、アーム部２０は、図２に示すように、その先端部と、各肉薄部２２ａ，２２ｂの基端側近傍とに、それぞれ、保持部３０を取付可能な取付部２４ａ〜２４ｃが突設されている。取付部２４ａ〜２４ｃは、それぞれ、図１及び図２に示すように、アーム部２０から上方に向けて突出した円筒状（ピン状）の嵌合突起２５と、嵌合突起２５ａよりもアーム部２０の先端側に形成された先端側山部２６ａと、嵌合突起２５ａよりもアーム部２０の基端側に形成された基端側山部２６ｂとを有している。
【００１９】
嵌合突起２５は、その上端部が径方向外側に膨張して形成されると共に、軸方向に形成された割れ溝によって二分割されている。嵌合突起２５は、このように二分割されることにより、保持部３０の後述する取付孔部３６が嵌め込まれる際に、割れ溝の間隔を狭めるようにその上端部が径方向に縮小することで取付孔部３６の通過を許容し、取付孔部３６が通過した後に径方向外側に復元することで、取付孔部３６の意図しない抜け出しを防止するよう構成されている。
【００２０】
先端側山部２６ａは、図２に示すように、保持部３０の後述する取付孔部３６に形成された前部切り欠き３７ａが係合可能な山筋状の突起であり、基端側山部２６ｂは、保持部３０が回動した際に保持部３０の後述するストッパ３８ａ，３８ｂが当接可能な山筋状の突起である。先端側山部２６ａは、保持部３０の表示面がアーム部２０の長手方向と直交するよう保持部３０がアーム部２０に取り付けられた際に、保持部３０の前部切り欠き３７ａが係合することにより、保持部３０の表示面の向き（角度）を保持し、保持部３０の意図しない回動を防止するよう構成されている。また、基端側山部２６ｂは、保持部３０が回動した際に保持部３０の後述するストッパ３８ａ，３８ｂが当接することにより、保持部３０の回動範囲を規制するよう構成されている。
【００２１】
以上の構成を備えるアーム部２０は、図３（ａ）及び図３（ｂ）に示すように、第１の肉薄部２２ａ又は第２の肉薄部２２ｂを破断すると共に、破断した肉薄部（第１の肉薄部２２ａ又は第２の肉薄部２２ｂ）に対応する取付部（取付部２４ｂ又は取付部２４ｃ）に保持部３０を付け替えることにより、使用対象となる商品陳列バー４の長さに合わせて、長手方向の長さを変更することが可能に構成されている。なお、図３（ａ）は、第１の肉薄部２２ａを破断すると共に、第１の肉薄部２２ａの基端側近傍に形成された取付部２４ｂに保持部３０を取り付けた状態を示している。また、図３（ｂ）は、第２の肉薄部２２ｂを破断すると共に、第２の肉薄部２２ｂの基端側近傍に形成された取付部２４ｃに保持部３０を取り付けた状態を示している。
【００２２】
保持部３０は、図２〜図４に示すように、商品の名称や価格等の商品情報が表示された表示物（プライスカード）を保持する保持部本体３２と、保持部本体３２の背面に設けられ、アーム部２０の取付部２４ａ〜２４ｃに取り付け可能に構成された取付部３４とを有している。保持部本体３２及び取付部３４は、合成樹脂等からなり、一体成形にて形成されている。
【００２３】
保持部本体３２は、図４（ａ）に示すように、背面に取付部３４が突設された基部３２ａと、基部３２ａの前面側に設けられた透明性を有する前板部３２ｂとを有しており、対象となる表示物と略同じ大きさに形成されている。基部３２ａ及び前板部３２ｂは、互いに下端縁部が連結されることにより、基部３２ａと前板部３２ｂとの間において表示物を保持可能に構成されている。
【００２４】
取付部３４は、図４（ａ）に示すように、保持部本体３２の基部３２ａの背面から後方（アーム部２０側）に突設されており、その先端部に、アーム部２０の嵌合突起２５に嵌合可能な取付孔部３６を有している。取付孔部３６は、アーム部２０の嵌合突起２５が挿通可能な貫通孔を有し、該貫通孔に嵌合突起２５が嵌め込まれることにより、アーム部２０の長手方向と直交かつ上下方向に延びる軸を中心として回動可能な状態で、アーム部２０に取り付けられるよう構成されている。
【００２５】
取付孔部３６には、保持部本体３２の表示面（前面）がアーム部２０の長手方向と直交するよう保持部３０がアーム部２０に取り付けられた際に、アーム部２０の先端側山部２６ａと整合する位置に前部切り欠き３７ａが形成されている。前部切り欠き３７ａは、アーム部２０の先端側山部２６ａと係合することにより、保持部３０の意図しない回動を防止するよう構成されている。取付部３４の下面には、前部切り欠き３７ａを中心とした反時計回り及び時計回りに所定の角度をおいて、アーム部２０の先端側山部２６ａと係合可能な複数の筋状の凹部（図示せず）が放射状に形成されている。このように取付部３４の下面に複数の凹部が形成されることにより、アーム部２０に対して保持部３０を多段階的に回動させ、保持部３０の表示面の向きを適宜調整することが可能となる。
【００２６】
また、取付孔部３６には、後部切り欠き３７ｂを中心とした反時計回りの所定の位置及び時計回りの所定の位置に、それぞれ、ストッパ３８ａ，３８ｂが形成されている。ストッパ３８ａ，３８ｂは、外力によって取付孔部３６の前部切り欠き３７ａがアーム部２０の先端側山部２６ａを乗り越えて保持部３０が回動した際に、アーム部２０の基端側山部２６ｂと当接することで、保持部３０の回動範囲を規制するよう構成されている。具体的には、後部切り欠き３７ｂを中心とした反時計回りの所定の位置に形成されたストッパ３８ａは、図４（ｂ）に示すように、保持部３０が平面視で時計回りに回動し、許容可能な最大回動角度に到達した際にアーム部２０の基端側山部２６ｂと当接することで、保持部３０の時計回りの回動範囲を規制するよう構成されている。また、後部切り欠き３７ｂを中心とした時計回りの所定の位置に形成されたストッパ３８ｂは、図４（ｃ）に示すように、保持部３０が平面視で反時計回りに回動し、許容可能な最大回動角度に到達した際にアーム部２０の基端側山部２６ｂと当接することで、保持部３０の反時計回りの回動範囲を規制するよう構成されている。
【００２７】
係合部１０は、図５及び図６に示すように、アーム部２０の基端部から下方に向けて延びる平板状の基部１２と、基部１２の下端部に形成され、装着部６上の商品陳列バー４に対し上方から嵌着可能なバー嵌着部１４と、基部１２の背面上部に形成されたフック部１８とを有している。基部１２、バー嵌着部１４及びフック部１８は、合成樹脂等からなり、一体成形にて形成されている。
【００２８】
バー嵌着部１４は、図６に示すように、互いに対向するよう配された一対の狭持片１４ａ，１４ｂと、一対の狭持片１４ａ，１４ｂの上端部を連結する上部連結部１４ｃとを有している。一対の狭持片１４ａ，１４ｂは、これら一対の狭持片１４ａ，１４ｂ間に、商品陳列バー４を狭持可能な挿入孔１５が形成されるよう構成されている。挿入孔１５は、その内径が商品陳列バー４の軸径よりも小さくなるよう構成されており、これにより、一対の狭持片１４ａ，１４ｂによって商品陳列バー４の軸回りを強く狭持するよう構成されている。また、一対の狭持片１４ａ，１４ｂは、互いに離間する方向に弾性変形可能に構成されており、これにより、異なる軸径を有する種々の商品陳列バー４に対応可能に構成されている。
【００２９】
バー嵌着部１４の前部側及び後部側には、図５に示すように、一対の狭持片１４ａ，１４ｂよりも下方に向けて延びる延長壁１６ａ，１６ｂが形成されている。前部側の延長壁１６ａと後部側の延長壁１６ｂとは、これらの間に商品陳列フック２の装着部６が挿入可能な間隔をおいて離間して形成されており、これにより、商品陳列フック２の装着部６に対するバー嵌着部１４の前後方向の移動（位置ずれ）が規制されるよう構成されている。
【００３０】
フック部１８は、図５に示すように、基部１２の背面上部から後方に向けて延出した後下方に向けて延出したフック形状を有している。フック部１８は、商品陳列フック２として図５に示すシングルフックを用いる場合には機能しないが、例えば図７に示すネットハンガータイプの商品陳列フック２´に用いられる場合には、商品陳列フック２´の装着部６´の上端縁７ａ´に係合し、商品陳列フック２´の装着部６´に対するバー嵌着部１４の前後方向の移動（位置ずれ）が規制されるよう構成されている。
【００３１】
以上のとおり、本実施形態に係る商品陳列フック用表示物保持具１は、商品を吊り下げて陳列することが可能な商品陳列バー４を有する商品陳列フック２に取り付けて用いられる商品陳列フック用表示物保持具１であって、商品陳列フック２に対して着脱可能な係合部１０と、商品陳列バー４と同方向に延びるよう、基端部が係合部１０に固定されたアーム部２０と、アーム部２０に対して着脱可能に構成され、商品情報が掲載された表示物を保持可能な保持部３０とを備え、アーム部２０は、肉薄部２２ａ，２２ｂを有し、肉薄部２２ａ，２２ｂを破断することによって長手方向の長さを変更することが可能に構成されており、アーム部２０の先端部及びアーム部２０の各肉薄部２２ａ，２２ｂの基端側近傍に、それぞれ、保持部３０を取付可能な取付部２４ａ〜２４ｃが形成されている。
【００３２】
このような本実施形態に係る商品陳列フック用表示物保持具１によれば、使用対象となる商品陳列バー４の長さに応じてアーム部２０の肉薄部２２ａ，２２ｂを破断すると共に、保持部３０を取り付ける取付部２４ａ〜２４ｃを変更することにより、商品陳列バー４の長さが異なる複数種類の商品陳列フック２に対応することが可能となる。
【００３３】
本考案に係る商品陳列フック用表示物保持具は、上述した実施形態に限定されるものではなく、本考案の技術思想を逸脱しない範囲内において種々の改変を行なうことができる。
【００３４】
例えば、上述の実施形態では、使用対象となる商品陳列フック２として、装着部６が略コ字状に形成されたシングルフックを例に挙げて説明したが、これに限定されず、種々の商品陳列フックに対して用いることが可能である。このような他の商品陳列フックとしては、例えば図７に示すネットハンガータイプの商品陳列フック２´を例示することが可能である。ネットハンガータイプの商品陳列フック２´は、図７に示すように、商品陳列バー４´の基端部に固着された装着部６´が、平板状のベース部７´と、ベース部７´の上端縁７ａ´から背面方向に向けて突設された一対のフック部８´，８´とを有しており、ネットハンガータイプの商品陳列装置に装着可能に構成されている。このようなネットハンガータイプの商品陳列フック２´は、種々の公知のものを採用可能であるため、その詳細な説明を省略する。
【００３５】
上述の実施形態では、係合部１０及びアーム部２０が一体成形にて形成され、保持部３０が別体として形成されるものとして説明したが、これに限定されず、係合部１０、アーム部２０及び保持部３０がそれぞれ別体として形成され、組み立てられる構成としても良い。
【００３６】
上述の実施形態では、アーム部２０に２つ肉薄部（第１の肉薄部２２ａ及び第２の肉薄部２２ｂ）が形成されるものとして説明したが、これに限定されず、アーム部に形成される肉薄部は１つのみであっても良く、また、３つ以上であっても良い。
【００３７】
上述の実施形態では、取付部２４ａ〜２４ｃが嵌合突起２５、先端側山部２６ａ及び基端側山部２６ｂを有するものとして説明したが、これに限定されず、保持部３０を取付可能な構成であれば、種々の構成を採用することが可能である。
【００３８】
上述の実施形態では、保持部３０の取付部３４が取付孔部３６を有し、この取付孔部３６に前部切り欠き３７ａ、後部切り欠き３７ｂ及びストッパ３８ａ，３８ｂが形成されるものとして説明したが、これに限定されず、アーム部２０の取付部２４ａ〜２４ｃに取付可能な構成であれば、種々の構成を採用することが可能である。
【００３９】
上述の実施形態では、保持部３０が回動可能な状態でアーム部２０に取り付けられるものとして説明したが、これに限定されず、回動不能な状態でアーム部２０に取り付けられる構成としても良い。
【００４０】
上述の実施形態では、係合部１０が商品陳列バー４を狭持可能な一対の狭持片１４ａ，１４ｂを有するものとして説明したが、これに限定されず、商品陳列フック２に対して着脱可能な構成であれば、種々の構成を採用することが可能である。
【００４１】
上記のような変形例が本考案の範囲に含まれることは、実用新案登録請求の範囲の記載から明らかである。
【符号の説明】
【００４２】
１  商品陳列フック用表示物保持具、２，２´  商品陳列フック、４，４´  商品陳列バー、１０  係合部、１４ａ，１４ｂ  狭持片、２０  アーム部、２２ａ，２２ｂ  肉薄部、２４ａ〜２４ｃ  取付部、３０  保持部、３８ａ，３８ｂ  ストッパ
【図１】
0003202712.tif 000003
【図２】
0003202712.tif 000004
【図３】
0003202712.tif 000005
【図４】
0003202712.tif 000006
【図５】
0003202712.tif 000007
【図６】
0003202712.tif 000008
【図７】
0003202712.tif 000009